(57)【要約】【課題】携帯端末装置の手軽さを損なうことなく、販売促進などの効果が得られるようにする。【解決手段】携帯端末装置２は、サーバ装置３と通信可能な端末通信部１１と、携帯端末装置２の動作を検出するセンサ１７とを有する。端末通信部１１は、サーバ装置３から、利用者の動作を指定する動作指定情報を受信し、受信した動作指定情報により指定された動作が、センサ１７により検出された場合に、サーバ装置３に対して、返信情報を送信する。【選択図】図２
2013196502.tif 000002
【特許請求の範囲】
【請求項１】
サーバ装置と通信可能な通信部と、利用者の動作を検出する動作検出部と、を有する携帯端末装置であって、
前記通信部は、
前記サーバ装置から、前記利用者の動作を指定する動作指定情報を受信し、
前記受信した動作指定情報により指定された動作が、前記動作検出部により検出された場合に、前記サーバ装置に対して、返信情報を送信する、
ことを特徴とする携帯端末装置。
【請求項２】
前記通信部は、
前記サーバ装置から、懸賞へ応募するために必要とされる動作を指定する前記動作指定情報を受信し、
前記受信した動作指定情報により指定された動作が、前記動作検出部により検出された場合に、前記サーバ装置に対して、前記懸賞に応募するための前記返信情報を送信する、
ことを特徴とする請求項１に記載の携帯端末装置。
【請求項３】
前記動作検出部は、加速度センサを含んで構成され、
前記動作指定情報は、前記携帯端末装置を所定回数振る動作を指定したものである、
ことを特徴とする請求項２に記載の携帯端末装置。
【請求項４】
画像を表示する表示部をさらに備え、
前記動作検出部はタッチセンサを含んで構成され、
前記動作指定情報は、前記表示部に表示された画像の少なくとも一部に触れる動作を指定したものである、
ことを特徴とする請求項２に記載の携帯端末装置。
【請求項５】
予め記憶された前記利用者の個人情報を取得する取得部を更に備え、
前記通信部は、前記取得した個人情報を含む前記返信情報を送信する、
ことを特徴とする請求項２から４のいずれか一項に記載の携帯端末装置。
【請求項６】
懸賞への応募を携帯端末装置から受け付けるサーバ装置であって、
前記懸賞への応募に必要とされる利用者の動作を指定する動作指定情報を、前記携帯端末装置に送信する送信部と、
前記送信した動作指定情報により指定した動作が行われたことを示す返信情報を受信することで前記懸賞への応募を受け付ける受付部と、
を備え、
前記送信部は、前記懸賞の内容毎に異なる動作を指定した前記動作指定情報を、前記携帯端末装置に送信する、
ことを特徴とするサーバ装置。
【請求項７】
サーバ装置と通信可能な通信部と、利用者の動作を検出する動作検出部と、を有する携帯端末装置の制御方法であって、
前記サーバ装置から、前記利用者の動作を指定する動作指定情報を受信する受信工程と、
前記受信した動作指定情報により指定された動作が、前記動作検出部により検出された場合に、前記サーバ装置に対して、返信情報を送信する送信工程と、
を含むことを特徴とする携帯端末装置の制御方法。
【請求項８】
請求項７に記載の携帯端末装置の制御方法を、コンピュータにより実行させる、
ことを特徴とする携帯端末装置の制御プログラム。
【請求項９】
請求項８に記載の携帯端末装置の制御プログラムが、コンピュータにより読み取り可能に記録されている、
ことを特徴とする記録媒体。
【発明の詳細な説明】
【技術分野】
【０００１】
本発明は、携帯端末装置、サーバ装置、携帯端末装置の制御方法、制御プログラム、および記録媒体に関する。
【背景技術】
【０００２】
携帯端末装置は、通信ネットワークを通じてサーバ装置と通信する。
最近では、このような携帯端末装置を利用して、懸賞へ応募することがなされている（特許文献１）。
携帯端末装置を利用した懸賞への応募では、応募者は、携帯端末装置に表示された応募フォームに自身の氏名、住所などの応募者情報を入力して送信するだけである。しかも、近年の携帯端末装置は高機能化されており、応募フォームへ自動的に応募者情報を入力できるものもある。応募者は、携帯端末装置を利用して手軽に懸賞に応募できる。
懸賞への応募により、商品などの販売促進効果が期待される。
【先行技術文献】
【特許文献】
【０００３】
【特許文献１】特開２００１−３２５５０６号公報
【発明の概要】
【発明が解決しようとする課題】
【０００４】
しかしながら、携帯端末装置を利用した懸賞への応募は、はがきでの応募に比べて手軽になった分、応募者は、懸賞内容を忘れ易い。場合によっては、その懸賞へ応募したことすら忘れてしまいかねない。懸賞内容が応募者の印象に残り難く、懸賞による販売促進効果が疑問視される。
これに対し、従来からある郵送による懸賞への応募では、応募者は、応募用紙を入手し、応募用紙に手書きで氏名、住所等を書込み、応募用紙に封をして投函する必要がある。この一連の作業により、応募者が懸賞に応募したことを忘れてしまう可能性は、極めて低い。
【０００５】
このように携帯端末装置の手軽さを損なうことなく、販売促進などの効果が得られるようにすることが求められる。
【課題を解決するための手段】
【０００６】
請求項１に係る発明は、サーバ装置と通信可能な通信部と、利用者の動作を検出する動作検出部と、を有する携帯端末装置であって、前記通信部は、前記サーバ装置から、前記利用者の動作を指定する動作指定情報を受信し、前記受信した動作指定情報により指定された動作が、前記動作検出部により検出された場合に、前記サーバ装置に対して、返信情報を送信する、携帯端末装置である。
【０００７】
請求項６に係る発明は、懸賞への応募を携帯端末装置から受け付けるサーバ装置であって、前記懸賞への応募に必要とされる利用者の動作を指定する動作指定情報を、前記携帯端末装置に送信する送信部と、前記送信した動作指定情報により指定した動作が行われたことを示す返信情報を受信することで前記懸賞への応募を受け付ける受付部と、を備え、前記送信部は、前記懸賞の内容毎に異なる動作を指定した前記動作指定情報を、前記携帯端末装置に送信する、サーバ装置である。
【０００８】
請求項７に係る発明は、サーバ装置と通信可能な通信部と、利用者の動作を検出する動作検出部と、を有する携帯端末装置の制御方法であって、前記サーバ装置から、前記利用者の動作を指定する動作指定情報を受信する受信工程と、前記受信した動作指定情報により指定された動作が、前記動作検出部により検出された場合に、前記サーバ装置に対して、返信情報を送信工程と、を含む携帯端末装置の制御方法である。
【０００９】
請求項８に係る発明は、請求項７に記載の携帯端末装置の制御方法を、コンピュータにより実行させる、携帯端末装置の制御プログラムである。
【００１０】
請求項９に係る発明は、請求項８に記載の携帯端末装置の制御プログラムが、コンピュータにより読み取り可能に記録されている、記録媒体である。
【図面の簡単な説明】
【００１１】
【図１】図１は、本発明の実施形態のクライアントサーバシステムを示す概略構成図である。
【図２】図２は、図１の携帯端末装置およびサーバ装置の一例の概略構成図である。
【図３】図３は、図１のクライアントサーバシステムでの懸賞応募動作の一例のフローチャートである。
【発明を実施するための形態】
【００１２】
以下、本発明の実施形態に係るクライアントサーバシステムを、図面に基づいて説明する。
【００１３】
図１は、本発明の実施形態のクライアントサーバシステム１を示す概略構成図である。
図１のクライアントサーバシステム１は、クライアント端末としての携帯端末装置２と、サーバ装置３と、を有する。サーバ装置３と携帯端末装置２とは、通信ネットワーク４により接続される。
図１のクライアントサーバシステム１において、携帯端末装置２は、サーバ装置３が受け付けている懸賞へ応募する。
【００１４】
通信ネットワーク４は、たとえば、携帯端末装置２と無線通信する基地局を有する携帯電話網と、ネットワークを相互接続したインターネット網とで構成できる。携帯電話網とインターネット網とは、プロトコル変換装置により接続できる。
サーバ装置３とクライアント端末（２）とは、たとえば通信ネットワーク４を通じて、通信データを、パケットにより相互に送受する。パケットは、送信先の識別情報および送信元の識別情報を有するヘッダデータと、通信対象のデータを格納するペイロードデータとを含む。
【００１５】
サーバ装置３は、通信ネットワーク４を通じて、懸賞を募集する。
クライアント端末（２）は、たとえば携帯端末装置２、パーソナルコンピュータ装置などである。クライアント端末（２）は、サーバ装置３と通信し、懸賞に応募する。
懸賞の応募処理において、サーバ装置３は、クライアント端末（２）へ、懸賞内容を説明する懸賞案内データを送信する。サーバ装置３は、たとえば、送信先をクライアント端末（２）とし、送信元を自分にした、懸賞案内データのパケットを、クライアント端末（２）へ送信する。サーバ装置３から送信された懸賞案内データのパケットは、通信ネットワーク４を通じて送信され、クライアント端末（２）に受信される。
懸賞案内データを受信したクライアント端末（２）は、懸賞内容を表示する。応募者は、表示に基づいて、応募の要否を判断する。懸賞に応募する場合、クライアント端末（２）は、送信先をサーバ装置３とし、送信元を自分とした、懸賞応募データのパケットを、サーバ装置３へ送信する。懸賞応募データには、応募者の氏名、住所などの、応募者の個人を特定するための応募者情報が含まれる。クライアント端末（２）から送信された懸賞応募データのパケットは、通信ネットワーク４を通じて送信され、サーバ装置３に受信される。
懸賞応募データを受信したサーバ装置３は、受信した懸賞応募データから懸賞応募者情報を抽出し、懸賞応募者情報を応募者リスト５３に追加登録する。
以上の処理により、懸賞への応募者は、クライアント端末（２）を利用して、サーバ装置３が募集する懸賞へ応募できる。
【００１６】
ところで、懸賞は、商品の販売促進などに利用される。
従来からある郵送による懸賞への応募では、応募者は、応募書類を入手し、応募書類に必要事項を手書きで書き込み、書き込んだ応募書類を所定の宛先へ発送する必要がある。この一連の作業を実行することにより、応募者は懸賞内容を忘れない。商品等の認知度を上げるなどの一定の販売促進効果を見込むことができる。
これに対し、図１のようにクライアント端末（２）を利用して懸賞に応募する場合、応募者は、クライアント端末（２）を操作し、クライアント端末（２）が懸賞案内を取得して表示し、クライアント端末（２）に応募者情報を入力し、クライアント端末（２）が応募者情報を送信する。また、クライアント端末（２）によっては、表示された応募フォームに応募者情報を挿入し、応募者情報の入力を自動化できる。
このため、クライアント端末（２）を利用した懸賞への応募では、応募者が懸賞へ手軽に応募できるようになった分、懸賞内容が応募者の印象に残り難い。応募者は、懸賞内容を覚えていないばかりか、どの懸賞に応募したかすら忘れてしまう可能性がある。高い販売促進効果を見込むことが難しい。
そこで、本実施形態では、懸賞に応募するクライアント端末（２）を、応募者が携帯可能な携帯端末装置２とする。そして、懸賞に応募する際に、携帯端末装置２の携帯性を生かしたイベントを応募者に体感させることで、高い販売促進効果を得る。
【００１７】
図２は、図１の携帯端末装置２およびサーバ装置３の一例の概略構成図である。
【００１８】
図２の携帯端末装置２は、たとえば携帯電話端末、多機能携帯端末、ＰＤＡ（Personal Digital Assistant）などのように、応募者が持ち運び可能な携帯端末装置である。
図２の携帯端末装置２は、端末通信部１１、端末表示部１２、端末操作部１３、端末記憶部１４、端末制御部１５、およびこれらを接続する端末システムバス１６を有する。端末システムバス１６には、さらに、携帯端末装置２の動作または動きを検出するセンサ１７が接続される。
携帯端末装置２の動作とは、主に、利用者の操作により実行される携帯端末装置２の内部処理などの、携帯端末装置２の動作をいう。
携帯端末装置２の動きとは、主に、利用者の動作により携帯端末装置２に作用する動きをいう。
【００１９】
端末通信部１１は、たとえばアンテナ、フロントエンド回路などを有し、通信ネットワーク４の基地局と無線通信する。
端末通信部１１は、たとえばサーバ装置３との間で送受する通信データを、基地局との間で送受する。
懸賞に応募する場合、懸賞内容および応募方法を示す懸賞案内データ、応募者情報を送信する懸賞応募データなどを、サーバ装置３と携帯端末装置２との間で送受する必要がある。特に、本実施形態では、懸賞に応募する携帯端末装置２で実行する応募プログラムを、サーバ装置３から携帯端末装置２へ送信する。
端末通信部１１は、サーバ装置３から、懸賞案内データ、応募プログラムなどの、懸賞応募に必要な情報を受信する。端末通信部１１は、受信した通信データを、端末システムバス１６を通じて端末記憶部１４などへ出力する。
端末通信部１１は、端末システムバス１６を通じて端末制御部１５などから入力された懸賞応募データなどの、懸賞応募に必要な情報をサーバ装置３へ送信する。
【００２０】
端末記憶部１４は、たとえばＲＯＭ（Read Only Memory）、ＲＡＭ（Random Access Memory）、ハードディスクデバイスで構成される。
端末記憶部１４は、携帯端末装置２の制御に利用されるデータおよびプログラムを記憶する。
端末記憶部１４は、懸賞案内データ２１、応募プログラム２２、懸賞応募データ２３などの、懸賞への応募のために携帯端末装置２で利用するデータを記憶する。
なお、端末記憶部１４に記憶されるデータおよびプログラムは、たとえば通信ネットワーク４を通じてサーバ装置３からダウンロードしたものであっても、ＣＤ−ＲＯＭ（Compact Disc Read Only Memory）、ＵＳＢ（Universal Serial Bus）メモリなどの記録媒体に記憶されていたものをインストールしたものであってもよい。
また、応募プログラム２２は、複数のプログラムで構成されてよい。複数のプログラムは、別々の通信等により取得され、端末記憶部１４に記憶されてよい。
【００２１】
端末表示部１２は、たとえば液晶ディスプレイデバイスである。
端末表示部１２には、制御部が生成した表示データが端末システムバス１６から入力される。
端末表示部１２は、たとえば懸賞案内データ２１に基づく懸賞応募画面などの、懸賞への応募のための画面を表示する。
【００２２】
端末操作部１３は、たとえばキー入力デバイス、タッチパネルデバイスである。
端末操作部１３は、応募者により操作される。端末操作部１３は、応募者操作に対応する入力データを、端末システムバス１６を通じて端末制御部１５へ出力する。
端末操作部１３は、応募者の氏名、住所などの応募者情報、その他の懸賞の応募に必要な入力データを、端末制御部１５へ出力する。
【００２３】
センサ１７は、応募者が携帯する携帯端末装置２の動作または動きを検出できるものであればよい。
センサ１７には、たとえばＧＰＳ（Global Positioning System）センサ、ＮＦＣ（Near Field Communication）センサ、加速度センサ、振動センサ、照度センサ、方位センサ、温度センサがある。
ＧＰＳセンサなどの位置センサは、たとえば携帯端末装置２の位置を検出できる。ＧＰＳセンサは、携帯端末装置２の緯度経度を検出できる。
ＮＦＣセンサなどの近接センサは、たとえば所定の通信相手を検出できる。
加速度センサまたは振動センサは、たとえば携帯端末装置２に作用する加速度を検出できる。
照度センサは、たとえば携帯端末装置２に照射される光の照度を検出できる。
方位センサは、たとえば携帯端末装置２からの方位を検出できる。
温度センサは、たとえば携帯端末装置２の温度あるいはその周囲の環境温度を検出できる。
【００２４】
この他にもたとえば、センサ１７は、携帯端末装置２に標準的に備えられるデバイス等であってもよい。
携帯端末装置２は、たとえばＩＭＴ２０００（International Mobile Telecommunication 2000）、ＩＭＴ−Ａｄｖａｎｃｅｄ、ＩＥＥＥ（Institute of Electrical and Electronic Engineers）８０２．１１、ＩＥＥＥ８０２．１５などの無線通信規格に準拠した無線通信部を有する。無線通信部は、たとえば電波の有無、通信可否状態、通信中などを検出できる。また、無線通信部は、通信可能な基地局の位置情報を検出できる。無線通信部は、これらを検出するセンサ１７として利用できる。
携帯端末装置２は、この他にもたとえば、タッチパネルデバイス、音声入出力デバイス、液晶ディスプレイデバイス、カメラデバイス、振動発生デバイスなどを有する。
タッチパネルデバイスは、たとえば携帯端末装置２の端末表示部１２に対する操作の有無を検出できる。
音声入出力デバイスは、たとえば声の有無、特定の応募者の声などを検出できる。
液晶ディスプレイデバイスは、たとえば表示経過時間などを検出できる。
カメラデバイスは、撮像により、たとえば携帯端末装置２の周囲の人の有無、場所などを検出できる。
振動発生デバイスは、たとえば携帯端末装置２での振動発生時間などを検出できる。
これらのデバイスも、センサ１７として利用できる。
【００２５】
端末制御部１５は、端末記憶部１４に記憶されるプログラムを実行し、携帯端末装置２を制御する。
端末制御部１５がプログラムを実行することにより、携帯端末装置２には、たとえば通話機能、電子メールの作成および送受信機能、ネットワーク上のウェブページ閲覧機能、ストリーミングなどの再生機能が実現される。
また、端末制御部１５が応募プログラム２２を実行することにより、端末制御部１５には、応募処理部３１、指定動作実行判定部３２、センサ情報収集部３３が実現される。
【００２６】
応募処理部３１は、携帯端末装置２を利用した懸賞への応募を処理する。
応募処理部３１は、端末記憶部１４から懸賞案内データ２１を読み込み、懸賞案内画面を端末表示部１２に表示させる。
応募処理部３１は、端末操作部１３からの入力データに基づいて、応募者情報を生成し、端末記憶部１４に保存する。
応募処理部３１は、指定動作実行判定部３２により所定の動作が検出されると、端末記憶部１４から応募者情報を読み込み、応募者情報を含む懸賞応募データ２３を端末送信部に送信させる。
【００２７】
指定動作実行判定部３２は、携帯端末装置２の所定の動作または動きが実行されたか否かを判定する。判定に係る処理は、応募プログラム２２により指定される。
指定動作実行判定部３２は、センサ情報収集部３３により収集された情報を用いて、所定の動作または動きが実行されたか否かを判定する。そして、指定動作実行判定部３２は、端末記憶部１４に実行判定フラグを記憶させる。応募処理部３１は、この実行判定フラグにより、所定の動作が検出されたことを判断できる。
【００２８】
センサ情報収集部３３は、センサ１７から検出値を収集する。
センサ情報収集部３３は、検出値を、必要に応じて、指定動作実行判定部３２での動作または動き判定で利用可能な情報に加工する。
センサ情報収集部３３は、検出値または加工した情報を、指定動作実行判定部３２へ提供する。
【００２９】
センサ１７がたとえば加速度センサであり、指定動作実行判定部３２が携帯端末装置２を振った回数を判定する場合、センサ情報収集部３３は、加速度センサの値がたとえばプラスからマイナスへ変化する回数をカウントし、指定動作実行判定部３２へ提供する。指定動作実行判定部３２は、検出値の回数が所定回数以上になると、実行判定フラグを端末記憶部１４に記憶させる。応募処理部３１は、この実行判定フラグにより、所定の動作が検出されたことを判断し、応募者情報を含む懸賞応募データ２３をサーバ装置３へ送信する。
【００３０】
このように、センサ情報収集部３３は、携帯端末装置２に実装されるデバイスをセンサ１７として利用して動作情報を収集し、指定動作実行判定部３２は、センサ情報収集部３３により収集された情報に基づいて、応募者による指定動作の実行を判定できる。本実施形態では、携帯端末装置２に実装されるデバイスをセンサ１７として利用し、簡単で直感的に体感させる応募者インタフェースを実現できる。
【００３１】
図２のサーバ装置３は、たとえば通信ネットワーク４に接続されたコンピュータ装置である。
図２のサーバ装置３は、サーバ通信部４１、サーバ記憶部４２、サーバ制御部４３、およびこれらを接続するサーバシステムバス４４を有する。サーバシステムバス４４には、さらに、サーバ表示部、サーバ操作部などが接続されてもよい。
【００３２】
サーバ記憶部４２は、たとえばＲＯＭ、ＲＡＭ、ハードディスクデバイスで構成される。
サーバ記憶部４２は、携帯端末装置２による懸賞の応募の制御に利用されるデータおよびプログラムを記憶する。
サーバ記憶部４２は、たとえばオリジナルの懸賞案内データ５１、オリジナルの応募プログラム５２などの、懸賞へ応募する携帯端末装置２へ送信するためのオリジナルデータ、懸賞に応募した応募者の情報を管理する応募者リスト５３を記憶する。
なお、サーバ記憶部４２に記憶されるデータおよびプログラムは、たとえば通信ネットワーク４を通じて他のサーバ装置３からダウンロードしたものであっても、ＣＤ−ＲＯＭ、ＵＳＢメモリなどの記録媒体に記憶されていたものをインストールしたものであってもよい。
また、応募プログラム５２は、応募処理部３１、指定動作実行判定部３２およびセンサ情報収集部３３の各々に対応した複数のプログラムで構成されてよい。複数のプログラムは、別々の通信（トランザクション）等により分割して送信されてよい。
【００３３】
サーバ制御部４３は、サーバ記憶部４２に記憶されたプログラムを実行することにより、サーバ装置３の動作を制御する。サーバ制御部４３は、サーバ記憶部４２に記憶されるデータおよびプログラムを用いて、携帯端末装置２による懸賞への応募処理を制御する。
【００３４】
サーバ通信部４１は、サーバ装置３と携帯端末装置２との間で通信データを送受する。
サーバ通信部４１は、たとえばネットワーク通信デバイスである。ネットワーク通信デバイスは、たとえばＩＥＥＥ８０２．３などの通信規格に基づいて他のデバイスとの間で通信データを送受する。
図２のサーバ通信部４１は、サーバ装置３から携帯端末装置２へ送信するデータ、たとえば懸賞案内データ５１、応募プログラム５２などを携帯端末装置２へ送信する。
サーバ通信部４１は、懸賞の内容毎に異なる応募者の動作を指定する懸賞案内データ５１を、携帯端末装置２に送信する。これにより、複数の懸賞を１つのサーバ通信部４１で管理できる。
サーバ通信部４１は、携帯端末装置２からサーバ装置３へ送信するデータ、たとえば懸賞応募データ２３などを携帯端末装置２から受信する。
【００３５】
次に、図１のクライアントサーバシステム１を用いた懸賞への応募方法を説明する。
図３は、図１のクライアントサーバシステム１での懸賞応募動作の一例のフローチャートである。
図２の懸賞応募状態において、携帯端末装置２の端末制御部１５は、サーバ装置３から受信した応募プログラム２２を実行している。端末制御部１５には、懸賞へ応募する機能として図２に示すように、応募処理部３１、指定動作実行判定部３２、センサ情報収集部３３が実現される。端末記憶部１４は、サーバ装置３から受信した懸賞案内データ５１および応募プログラム２２と、懸賞への応募者情報を含む懸賞応募データ２３とを記憶している。
また、サーバ装置３のサーバ制御部４３は、図２の懸賞応募状態において、懸賞応募管理プログラムを実行している。サーバ制御部４３には、応募受付部６１が実現される。サーバ記憶部４２は、懸賞に参加する携帯端末装置２へ送信するためのオリジナルの懸賞案内データ５１、オリジナルの応募プログラム５２、懸賞に応募した応募者を管理する応募者リスト５３と、を記憶している。
【００３６】
図３に示すように、図２の懸賞応募状態において、サーバ装置３の応募受付部６１は、懸賞の内容および応募方法（指定動作）を示す懸賞案内データ５１を、携帯端末装置２へ配信する。
たとえば、サーバ装置３のサーバ通信部４１は、携帯端末装置２からの懸賞応募の送信要求を受信すると、応募受付部６１の応答処理に基づいて、懸賞案内データ５１を送信する。
サーバ装置３は、懸賞案内データ５１とともに、指定動作実行判定部３２およびセンサ情報収集部３３に対応するプログラムを送信してもよい。
また、サーバ装置３は、要求元が携帯端末装置２であるか否かを判断し、携帯端末装置２である場合にデータを送信してもよい。要求元が携帯端末装置２であるか否かは、たとえば携帯端末装置２のＳＩＭ（Subscriber Identity Module）カードの登録情報などを利用すればよい。
【００３７】
懸賞に参加する携帯端末装置２は、サーバ装置３から、応募方法（指定動作）を受信する。
端末通信部１１は、懸賞案内データ５１を受信し、端末記憶部１４に記憶させる（ステップＳＴ１）。
これにより、端末記憶部１４は、懸賞の内容および応募方法（指定動作）を示す懸賞案内データ２１が記憶される。
【００３８】
携帯端末装置２の応募処理部３１は、端末記憶部１４に記憶された懸賞案内データ２１を読み取り（ステップＳＴ２）、懸賞の内容および応募方法（指定動作）を端末表示部１２に表示させる。
また、応募処理部３１は、懸賞案内データ２１により指定された応募者の動作（指定動作）を、指定動作実行判定部３２およびセンサ情報収集部３３に通知する。
【００３９】
応募者は、端末表示部１２に表示された懸賞の内容および応募方法（指定動作）を読む。
懸賞に応募する場合、端末操作部１３を操作して、表示された入力フォームに、懸賞応募への必要事項を入力する。
応募処理部３１は、端末入力部からの入力データに基づいて、応募者の氏名、住所などの応募者情報を生成し、端末記憶部１４に記憶させる。これにより、端末記憶部１４は、懸賞応募データ２３を記憶する。
【００４０】
また、応募者は、サーバ装置４２により指定された、懸賞への応募に必要とされる動作を実行する（ステップＳＴ３）。
たとえば、携帯端末装置２を所定回数振る動作が指定されている場合、それを実行する。
センサ情報収集部３３は、加速度センサの検出値に基づき、携帯端末装置２が降られたことを検出する。
指定動作実行判定部３２は、センサ情報収集部３３による検出回数が、応募処理部３１により指定された回数に達したか否かを判断する。
指定動作実行判定部３２は、所定の回数を検出すると、実行判定フラグを端末記憶部１４に記憶させる。
【００４１】
応募処理部３１は、懸賞案内データ２１により指定された応募方法（指定動作）を指定動作実行判定部３２およびセンサ情報収集部３３に通知した後、たとえば端末記憶部１４を監視する。
応募処理部３１は、端末記憶部１４に所定の実行判定フラグが記憶されているか否かを判断する（ステップＳＴ４）。
【００４２】
このように、実行判定フラグなどの所定の記憶データにより、指定動作が実行されたことを通知されることにより、応募処理部３１が動作していない状況下で、指定動作実行判定部３２が動作し、所定の動作の実行を判定できる。
たとえば指定された地点への移動に時間がかかったとしても、その間では、指定動作実行判定部３２およびセンサ情報収集部３３のみをバックグランドで動作させて携帯端末装置２のバッテリの蓄電電力の消費を抑えることができる。
応募者は、応募処理部３１を停止して指定地点へ移動し、移動後に応募処理部３１を再起動できる。
【００４３】
そして、端末記憶部１４に実行判定フラグが書き込まれると、応募処理部３１は、懸賞案内データ２１により指定された利用者の動作（指定動作）が実行されたと判断する。
応募処理部３１は、予め端末記憶部１４に記憶され、応募者の個人を特定するための応募者情報を含む端末記憶部１４から懸賞応募データ２３を読み込んで取得し、端末通信部１１からサーバ装置３へ送信させる（ステップＳＴ５）。
応募処理部３１は、指定動作の達成度合いなどの情報を併せて送信してもよい。
【００４４】
サーバ装置３は、携帯端末装置２から送信された懸賞応募データ２３を受信する（ステップＳＴ６）。
サーバ制御部４３は、サーバ通信部４１により受信された懸賞応募データ２３を処理し、応募者情報を、応募者リスト５３に追加する。
【００４５】
なお、以上の説明は、応募者に体感させる指定動作として、応募者が携帯端末装置２を振る動作を、センサ１７としての加速度センサで検出する例である。この場合、応募者は、応募しようとしているときに、指定された動作を実施できる。携帯端末装置２だけで手軽に応募できる。また、応募者は、年齢層等に関係なく応募できる。
応募者に体感させる指定動作には、この他にも以下のようなものがある。
たとえば、センサ１７としてのタッチパネルデバイスにより、たとえば携帯端末装置２の端末表示部１２に表示された画像の少なくとも一部に触れる指定動作を検出してもよい。この場合でも、応募者は、応募しようとしているときに指定動作を実施し、携帯端末装置２だけで手軽に応募できる。
センサ１７としての近接センサにより、携帯端末装置２に手をかざす指定動作を検出してもよい。
センサ１７としてのＧＰＳセンサにより、携帯端末装置２を持って所定の場所に行く指定動作を、応募者の指定動作として検出してもよい。
センサ１７としての、ＩＥＥＥ８０２．１５などによる近距離の無線通信部により、他の携帯端末装置２とタッチ（近接）する指定動作を検出してもよい。
【００４６】
以上のように、本実施形態では、懸賞への応募を管理するサーバ装置３と、応募者が使用する端末装置との間で通信をさせることにより、携帯端末装置２を利用した懸賞への応募を実現できる。
しかも、本実施形態では、携帯端末装置２が携帯可能であることを利用して、サーバ装置３から応募方法（指定動作）を指定し、携帯端末装置２により該動作の完了を検出させた後、完了している場合にのみ携帯端末装置２からサーバ装置３へ応募者情報を登録させている。
よって、応募者は、携帯端末装置２を利用して応募者情報を楽に入力して簡単に懸賞に応募しつつも、携帯端末装置２を用いた指定動作を実行することにより、懸賞内容をより深く記憶することになる。
応募者は、携帯端末装置２を用いた指定動作を実行する際に、携帯端末装置２に近づいたり、聞いたり、見たり、話したり、感じたり、振ったり、行ったりすることにより、懸賞内容をより深く記憶することになる。
クライアント端末（２）を利用した懸賞の手軽さを損なうことなく、懸賞内容を応募者の印象に残し易くなる。
【００４７】
また、主催者は、携帯端末装置２を利用した懸賞応募において、高い販売促進効果を見込むことができる。
懸賞への応募資格を、携帯端末装置２に実装されるデバイスをセンサ１７として利用して指定した動作の実行を判定させることにすることにより、手軽で、高い販売促進効果が得られる懸賞を実現できる。
懸賞を実施する際に、簡単・直感的な応募方法を実現することにより、応募者に面倒な作業をさせることなく、簡単に応募をさせることができる。また、販売促進の対象物に興味を持ってもらいやすくなる。
また、主催者にとっては、体感により懸賞の目的である販売促進の訴求効果が向上する。簡易操作で応募できることにより販促対象顧客が拡大できるなどの効果を期待できる。
特に、主催者は、サーバ装置３の懸賞内容に対応した応募プログラム５２により、懸賞内容毎に異なる携帯端末装置２の動作または動きを指定することができるので、販売促進の対象商品ごとに、それぞれに応じた体感をさせることで、高い販売促進効果を期待できる。
【００４８】
以上の実施形態は、本発明の好適な実施形態の例であるが、本発明は、これに限定されるものではなく、発明の要旨を逸脱しない範囲において種々の変形または変更が可能である。
【００４９】
たとえば、上記実施形態では、携帯端末装置２は、１台のサーバ装置３との間で、懸賞応募に必要な通信データを送受している。
この他にもたとえば携帯端末装置２は、１個の懸賞について、複数台のサーバ装置との間で、懸賞応募に必要な通信データを送受してもよい。携帯端末装置２は、たとえば第１のサーバ装置から、応募処理部３１用の応募プログラム５２を受信し、第２のサーバ装置から、指定動作実行判定部３２およびセンサ情報収集部３３用の応募プログラム５２を受信してよい。また、第１のサーバ装置の運営会社と、第２のサーバ装置の運営会社とは、同一でも異なってもよい。たとえば第１のサーバ装置は各種の懸賞を募集する会社により運営され、第２のサーバ装置は特定の商品についての懸賞を募集するたとえばメーカなどの会社により運営されてよい。
【符号の説明】
【００５０】
１  クライアントサーバシステム
２  携帯端末装置
３  サーバ装置
１１  端末通信部（通信部）
１２  端末表示部（表示部）
１７  センサ（動作検出部）
２１  懸賞案内データ（動作指定情報）
２３  懸賞応募データ（返信情報）
３１  応募処理部（取得部）
４１  サーバ通信部（送信部）
５１  懸賞案内データ（動作指定情報）
６１  応募受付部（受付部）
【図１】
2013196502.tif 000003
【図２】
2013196502.tif 000004
【図３】
2013196502.tif 000005